(57)【要約】【課題】簡便な構造で二次電池をエージング温度にまで昇温させるのに要する時間の短縮を図ることができる恒温装置を提供すること。【解決手段】恒温装置２０は、二次電池１０の収納空間Ｓを有し、収納空間Ｓの温度を一定に保持する恒温槽２１と、恒温槽２１内に設けられ、二次電池１０が載置されるターンテーブル３０と、ターンテーブル３０の下面３０ｂに設けられた伝熱フィン３８と、を有する。【選択図】図２
2015141767.tif 000002
【特許請求の範囲】
【請求項１】
蓄電装置の収納空間を有し、前記収納空間の温度を一定に保持する恒温槽と、
前記恒温槽内に設けられ、前記蓄電装置が載置されるテーブルと、
前記テーブルに設けられた伝熱フィンと、を有する恒温装置。
【請求項２】
前記伝熱フィンは、前記テーブルの下面に設けられている請求項１に記載の恒温装置。
【請求項３】
前記テーブル及び前記伝熱フィンは、炭化珪素とアルミニウムとの複合材によって形成されている請求項１又は請求項２に記載の恒温装置。
【請求項４】
前記伝熱フィンに向けて熱媒体を送る送り装置を備える請求項１〜請求項３のうちいずれか一項に記載の恒温装置。
【請求項５】
前記テーブルは、前記恒温槽内を上下方向に延びる回転軸を中心に回転するターンテーブルである請求項１〜請求項４のうちいずれか一項に記載の恒温装置。
【請求項６】
前記伝熱フィンは板状であり、該伝熱フィンの一つの縁部の延びる方向が前記ターンテーブルの径方向に沿って延びる請求項５に記載の恒温装置。
【請求項７】
前記蓄電装置は拘束治具で拘束された状態で前記テーブルに載置される請求項１〜請求項６のうちいずれか一項に記載の恒温装置。
【発明の詳細な説明】
【技術分野】
【０００１】
本発明は、収納空間の温度を一定に保持する恒温槽を有する恒温装置に関する。
【背景技術】
【０００２】
二次電池やキャパシタのような蓄電装置は再充電が可能であり、繰り返し使用することができるため電源として広く利用されている。一般に、容量の大きな二次電池（蓄電装置）はケースを備え、そのケース内に電極組立体及び電解液が収容されている。
【０００３】
二次電池の製造は、ケース内に電極組立体を収納した後、ケースに設けられた注液口から電解液をケース内に注入し、注液口を封止する。そして、電解液を各極の活物質に浸透させる工程を行った後、二次電池の安定化、活性化等を図るエージングを行う。エージング工程は、二次電池を所定のエージング温度にまで昇温させて行われる。エージング温度は室温より高い温度に設定される場合が多い。
【０００４】
しかし、ケース内の電極組立体をエージング温度まで昇温するには時間を要する。このため、例えば、特許文献１に開示のエージング方法では、昇温槽と、エージング倉庫とを用いてエージング工程を行っている。具体的には、昇温槽内には、エージング温度に相当する温度の風が送風されるようになっている。また、エージング倉庫では、庫内温度がエージング温度に保持されるようになっている。
【０００５】
そして、昇温槽での送風中に、エージングを行う二次電池を昇温槽内を通過させ、二次電池をエージング温度又はエージング温度に近い温度にまで昇温させる。続いて、昇温させた二次電池をエージング倉庫に収納して、二次電池をエージング温度でエージングする。このようにして二次電池をエージング温度にまで昇温させるのに要する時間の短縮を図っている。
【先行技術文献】
【特許文献】
【０００６】
【特許文献１】特開２００４−１７９００９号公報
【発明の概要】
【発明が解決しようとする課題】
【０００７】
ところが、二次電池をエージング温度にまで昇温させるため、特許文献１では、エージング倉庫に加え、昇温槽を必要とし、エージング工程を行うための装置が複雑で大掛かりなものになってしまっている。
【０００８】
本発明は、簡便な構造で二次電池をエージング温度にまで昇温させるのに要する時間の短縮を図ることができる恒温装置を提供することにある。
【課題を解決するための手段】
【０００９】
上記問題点を解決するための恒温装置は、蓄電装置の収納空間を有し、前記収納空間の温度を一定に保持する恒温槽と、前記恒温槽内に設けられ、前記蓄電装置が載置されるテーブルと、前記テーブルに設けられた伝熱フィンと、を有することを要旨とする。
【００１０】
これによれば、伝熱フィンによってテーブルの表面積が広がっている。このため、エージングを行う際、恒温槽内に熱媒体が供給されたとき、伝熱フィンによって、テーブルにおける熱媒体との接触面積が広がり、熱媒体の持つ熱をテーブルに効率良く伝えることができる。よって、熱媒体の持つ熱がテーブルを経由して蓄電装置に伝わり、伝熱フィンが無い場合と比べると、蓄電装置をエージング温度にまで昇温させるのに要する時間の短縮を図ることができる。
【００１１】
そして、伝熱フィンはテーブルに設けただけであり、別途熱源を設けることなく、簡便な構造で、蓄電装置をエージング温度にまで昇温させることができる。
また、恒温装置について、前記伝熱フィンは、前記テーブルの下面に設けられていてもよい。
【００１２】
これによれば、テーブルの上面には蓄電装置が載置されるが、テーブルの下面には蓄電装置が載置されない。このテーブルの下面を有効利用してテーブルの表面積を広げ、熱媒体の持つ熱をテーブル経由で蓄電装置に伝えることができる。  
【００１３】
また、恒温装置について、前記テーブル及び前記伝熱フィンは、炭化珪素とアルミニウムとの複合材によって形成されているのが好ましい。
これによれば、テーブル及び伝熱フィンの熱伝導率を高いものにすることができる。
【００１４】
また、恒温装置について、前記伝熱フィンに向けて熱媒体を送る送り装置を備えていてもよい。
これによれば、送り装置により、恒温槽内に供給された熱媒体を伝熱フィンに向けて送ることができる。このため、熱媒体を伝熱フィンに効率良く接触させることができる。  
【００１５】
また、恒温装置について、前記テーブルは、前記恒温槽内を上下方向に延びる回転軸を中心に回転するターンテーブルであってもよい。
これによれば、ターンテーブルを回転させることで、ターンテーブルに載置された蓄電装置を回転軸を回転中心として周回させることができる。このため、恒温槽への熱媒体の供給口に対向配置される蓄電装置を順番に変えることができ、複数の蓄電装置の温度分布をほぼ均一にすることができる。
【００１６】
また、恒温装置について、前記伝熱フィンは板状であり、該伝熱フィンの一つの縁部の延びる方向が前記ターンテーブルの径方向に沿って延びていてもよい。
これによれば、複数の伝熱フィンを設けた場合、ターンテーブルの周方向に隣り合う伝熱フィン同士の間に、ターンテーブルの径方向に沿って延びる空隙を形成することができる。よって、空隙を利用して熱媒体をターンテーブルの外周側から中心に導入することができ、伝熱フィン及びターンテーブルを、径方向の全体に亘って熱媒体に接触させることができる。
【００１７】
また、恒温装置において、前記蓄電装置は拘束治具で拘束された状態で前記テーブルに載置されていてもよい。
これによれば、拘束治具において、収納空間に露出する面は熱媒体と接触する。このため、拘束治具において、収納空間に露出する面にも熱媒体の持つ熱が伝わる。よって、拘束治具において、収納空間に露出する面によって、蓄電装置と熱的に結合された表面積を拡大することができる。その結果として、蓄電装置の温度をエージング温度にまで速やかに昇温させることができる。
【発明の効果】
【００１８】
本発明によれば、簡便な構造で二次電池をエージング温度にまで昇温させるのに要する時間の短縮化を図ることができる。
【図面の簡単な説明】
【００１９】
【図１】実施形態の二次電池を示す斜視図。
【図２】実施形態の恒温装置を示す斜視図。
【図３】拘束治具を示す分解斜視図。
【図４】恒温装置内を示す断面図。
【図５】ターンテーブルを伝熱リブ側から示す底面図。
【図６】ターンテーブル上の二次電池を示す図。
【図７】恒温装置の別例を示す斜視図。
【図８】テーブル及び伝熱フィンの別例を示す斜視図。
【図９】伝熱フィンの別例を示す斜視図。
【発明を実施するための形態】
【００２０】
以下、恒温装置を具体化した一実施形態を図１〜図６にしたがって説明する。
図１に示すように、蓄電装置としての二次電池１０はケース１１を備え、このケース１１には電極組立体１２及び電解液（図示せず）が収容されている。ケース１１は、有底筒状のケース本体１３と、当該ケース本体１３に電極組立体１２を挿入する開口部を閉塞する平板状の蓋体１４とを備える。ケース本体１３と蓋体１４は、何れも金属製（例えば、ステンレスやアルミニウム）である。また、この実施形態の二次電池１０は、ケース本体１３が有底四角筒状であり、蓋体１４が矩形平板状であることから、その外観が角型をなす角型電池である。また、この実施形態の二次電池１０は、リチウムイオン電池である。
【００２１】
電極組立体１２は、正極電極、負極電極、及び正極電極と負極電極を絶縁するセパレータを有する。正極電極は、正極金属箔（アルミニウム箔）の両面に正極活物質を塗布して構成される。負極電極は、負極金属箔（銅箔）の両面に負極活物質を塗布して構成される。そして、電極組立体１２は、複数の正極電極と複数の負極電極を交互に積層するとともに、両電極の間にセパレータを介在した積層構造とされている。また、電極組立体１２には、正極端子１５と負極端子１６が電気的に接続されている。これらの正極端子１５と負極端子１６の各一部分は、蓋体１４からケース１１外に露出している。また、正極端子１５及び負極端子１６には、ケース１１から絶縁するためのリング状の絶縁リング１７ａがそれぞれ取り付けられている。
【００２２】
また、ケース１１の蓋体１４には、ケース１１（ケース本体１３）内に電解液を注入するための注液口１８が穿設されており、その注液口１８は封止部材１９によって閉塞されている。封止部材１９は、蓋体１４の表面１４ａ（ケース外側の面）に固定されており、ケース１１外に露出している。
【００２３】
二次電池１０において、蓋体１４の外面に沿い、かつ正極端子１５と負極端子１６が対向する方向に沿った方向を、二次電池１０の長手方向とする。また、ケース本体１３の側面のうち、最も面積の大きい偏平面１３ａに沿い、かつ長手方向に直交する方向を、二次電池１０の短手方向とする。
【００２４】
次に、二次電池１０のエージング工程で使用される恒温装置２０について説明する。
図２に示すように、恒温装置２０は、複数の二次電池１０を収納する恒温槽２１を備える。恒温槽２１は、側面に開口部２２ａを有する四角箱状の本体部２２と、本体部２２の開口部２２ａを開閉可能とする扉２４とを有する。本体部２２は、四角形状の底壁２３ａと、底壁２３ａの三つの縁部から立設された側壁２３ｂと、三つの側壁２３ｂの上端に設置された天板２３ｃとを有する。恒温槽２１は、本体部２２と扉２４によって囲まれた収納空間Ｓを有する。
【００２５】
図４に示すように、恒温槽２１は、天板２３ｃを厚み方向に貫通する供給口２５を有するとともに、供給口２５に、軸方向の第１端部２６ａが接続された供給管２６を有する。供給管２６の軸方向の第２端部２６ｂには、熱源２７が接続されている。熱源２７によって加熱された熱媒体としての空気は、供給管２６から供給口２５を介して収納空間Ｓに供給される。熱源２７によって加熱された空気が収納空間Ｓに供給されると、収納空間Ｓは所定のエージング温度、例えば６０度に温度調節され、かつエージング温度に保持される。なお、図示しないが、恒温装置２０は、二次電池１０の充放電を行うために、二次電池１０の電極に接続される接続コードを備える。
【００２６】
また、恒温槽２１は、送り装置としての送風機３９を備え、送風機３９は一つの側壁２３ｂに設置されている。送風機３９は側壁２３ｂにおける底壁２３ａ寄りに配置されている。送風機３９は、収納空間Ｓの底壁２３ａ寄りで、収納空間Ｓの中央に向けて送風可能であり、供給管２６から収納空間Ｓに供給された空気を収納空間Ｓの底壁２３ａ寄りで、かつ収納空間Ｓの中央に向けて送ることができる。
【００２７】
恒温槽２１は、底壁２３ａにモータ２８を有するとともに、このモータ２８に連結された回転軸２９を有する。回転軸２９の先端には、円板状のターンテーブル３０が止着されている。モータ２８が回転することで回転軸２９が回転し、ターンテーブル３０は回転軸２９を回転中心として回転する。
【００２８】
図２に示すように、ターンテーブル３０は、上面に載置面３０ａを備え、載置面３０ａには、複数の二次電池１０が載置される。各二次電池１０は、拘束治具３３によって拘束された状態でターンテーブル３０の載置面３０ａに載置される。また、ターンテーブル３０は、炭化珪素とアルミニウムとの複合材によって形成されている。
【００２９】
図３に示すように、拘束治具３３は、第１の拘束板３４と、第２の拘束板３５と、一対の拘束板３４，３５の間隔を保持する保持部材３６とを備える。第１の拘束板３４は矩形状であり、長手方向の両側に雌ねじ孔３４ａを備える。第２の拘束板３５は矩形状であり、長手方向の両側に挿通孔３５ａを備える。保持部材３６は、挿通孔３５ａに挿通されるボルトであり、保持部材３６は雌ねじ孔３４ａに螺合可能である。
【００３０】
第１の拘束板３４において、長手方向に沿った雌ねじ孔３４ａ間の長さは、二次電池１０の長手方向に沿った長さより長い。第２の拘束板３５において、長手方向に沿った挿通孔３５ａ間の長さは、二次電池１０の長手方向に沿った長さより長い。また、第１の拘束板３４及び第２の拘束板３５の短手方向に沿った長さは、二次電池１０の短手方向に沿った長さより短い。
【００３１】
そして、第１の拘束板３４と第２の拘束板３５で、二次電池１０をケース本体１３の偏平面１３ａ側から挟み、二次電池１０の長手方向の両端より外側に雌ねじ孔３４ａ及び第２の拘束板３５を位置させる。保持部材３６を挿通孔３５ａに挿通するとともに、保持部材３６を雌ねじ孔３４ａに螺合する。すると、二次電池１０が、両偏平面１３ａ側、すなわち、電極組立体１２の積層方向の両側から挟持され、拘束される。第１の拘束板３４及び第２の拘束板３５において、長手方向に延びる一方の端面を第１長端面３４ｂ，３５ｂとし、他方の端面を第２長端面３４ｃ，３５ｃとする。
【００３２】
図６に示すように、第１の拘束板３４と第２の拘束板３５によって二次電池１０が挟持された状態では、第１長端面３４ｂ，３５ｂは、ケース本体１３の底面と同一面上に位置している。また、第１の拘束板３４と第２の拘束板３５によって二次電池１０が挟持された状態では、第２長端面３４ｃ，３５ｃは、蓋体１４の外面よりも低い位置にある。
【００３３】
ターンテーブル３０の載置面３０ａ上には、拘束治具３３によって積層方向に拘束された二次電池１０が複数載置され、載置面３０ａと、二次電池１０の底面及び第１長端面３４ｂ，３５ｂとの間には放熱グリースＧが介在している。よって、二次電池１０及び拘束治具３３は、放熱グリースＧを介してターンテーブル３０と熱的に結合されている。
【００３４】
図４、図５及び図６に示すように、ターンテーブル３０は、厚み方向における載置面３０ａとの反対面である下面３０ｂに複数の伝熱フィン３８を備える。伝熱フィン３８はターンテーブル３０と一体形成されており、炭化珪素とアルミニウムとの複合材によって形成されている。各伝熱フィン３８は矩形板状である。また、各伝熱フィン３８は、長手方向に延びる一つの縁部３８ａがターンテーブル３０の径方向に延びる状態でターンテーブル３０に設けられている。複数の伝熱フィン３８は、回転軸２９を中心に放射状に配置されている。そして、各伝熱フィン３８は、長手方向の一端部３８ｂがターンテーブル３０の外周面と同一面上に位置し、長手方向の他端部３８ｃがターンテーブル３０の中心寄り（回転軸２９寄り）に位置している。複数の伝熱フィン３８は、ターンテーブル３０の周方向へ等間隔おきに配置されている。よって、ターンテーブル３０の周方向に隣り合う伝熱フィン３８同士の間には、一端部３８ｂから他端部３８ｃに向けて徐々に幅狭となる空隙Ｋが画定されている。
【００３５】
次に、二次電池１０の製造方法を恒温装置２０の作用とともに説明する。
まず、ケース本体１３の開口部から電極組立体１２をケース本体１３内に挿入し、ケース本体１３に蓋体１４を接合して、ケース本体１３の開口部を閉塞する。すると、ケース１１に電極組立体１２を収納する工程が完了する。次に、注液口１８からケース１１内へ電解液を注入し、電解液を活物質に浸透させる浸透工程を行う。その後、注液口１８を封止部材１９で封止する。
【００３６】
次に、二次電池１０を活性化させるエージング工程を恒温装置２０で行う。
まず、二次電池１０を拘束治具３３によって拘束し、二次電池１０を電極組立体１２の積層方向から拘束する。そして、次に、恒温装置２０の扉２４を開け、拘束治具３３で拘束された二次電池１０を、放熱グリースＧを介してターンテーブル３０の載置面３０ａに載置する。次に、恒温槽２１の開口部２２ａを扉２４で閉塞する。次に、熱源２７によって加熱された空気が供給管２６及び供給口２５を介して収納空間Ｓに供給され、収納空間Ｓが予め設定されたエージング温度になるように収納空間Ｓの温度調節を行い、収納空間Ｓの温度をエージング温度に保持する。また、送風機３９を駆動させ、供給口２５から収納空間Ｓに供給された空気を、底壁２３ａ寄りでターンテーブル３０に向けて送る。
【００３７】
そして、モータ２８を駆動させ、ターンテーブル３０を回転させる。すると、複数の二次電池１０が、回転軸２９を回転中心として収納空間Ｓ内の水平面上で周回する。このとき、供給口２５から供給された加熱後の空気に対し、水平面上で周回する二次電池１０が順番に接触していく。
【００３８】
また、送風機３９によって送られた空気は、ターンテーブル３０の伝熱フィン３８に向けて流れ、加熱された空気が伝熱フィン３８及びターンテーブル３０の下面３０ｂに接触し、加熱後の空気の持つ熱が、伝熱フィン３８及びターンテーブル３０の下面３０ｂに伝えられる。すると、伝熱フィン３８及び下面３０ｂに伝わった熱は、ターンテーブル３０及び放熱グリースＧを介して、二次電池１０、第１の拘束板３４及び第２の拘束板３５に伝わる。
【００３９】
同時に、ターンテーブル３０の載置面３０ａ、及び二次電池１０と拘束治具３３の表面にも加熱された空気が接触し、加熱後の空気の持つ熱が載置面３０ａ、及び二次電池１０と拘束治具３３に伝えられる。すると、載置面３０ａに伝わった熱は、放熱グリースＧを介して、二次電池１０、第１の拘束板３４及び第２の拘束板３５に伝わる。
【００４０】
そして、二次電池１０の温度が、エージング温度にまで昇温すると、二次電池１０を所定時間放置してエージング工程が行われる。エージング工程が完了すると、二次電池１０が恒温装置２０から取り出され、封止部材１９が注液口１８から抜かれるとともに、エージング工程で発生したガスが注液口１８からケース１１外へ放出される。ガスを放出させる工程の後、注液口１８が別の封止部材１９で封止される。その後、二次電池１０の自己放電が行われ、二次電池１０が完成する。
【００４１】
上記実施形態によれば、以下のような効果を得ることができる。
（１）恒温装置２０は、ターンテーブル３０に伝熱フィン３８を複数備える。このため、伝熱フィン３８によってターンテーブル３０の表面積を増やし、加熱された空気の持つ熱がターンテーブル３０に伝わりやすくなっている。よって、ターンテーブル３０を経由して二次電池１０に熱媒体の熱を伝えることで、二次電池１０の温度をエージング温度にまで速やかに昇温させることができる。したがって、ターンテーブル３０に伝熱フィン３８を追加するだけの簡便な構成で二次電池１０の温度をエージング温度にまで速やかに昇温させることができる。よって、二次電池１０の温度をエージング温度にまで昇温させるために、恒温槽２１以外のエージング倉庫を設けたり、他の熱源を恒温槽２１内に設ける必要がなく、恒温装置２０を大掛かりな設備にすることもない。
【００４２】
（２）ターンテーブル３０の上面は載置面３０ａとして二次電池１０が載置される。載置面３０ａとして使用されない下面３０ｂに伝熱フィン３８を設けた。よって、ターンテーブル３０の下面３０ｂを有効利用してターンテーブル３０の表面積を広げ、二次電池１０の温度をエージング温度にまで効率良く昇温させることができる。
【００４３】
（３）ターンテーブル３０及び伝熱フィン３８は、炭化珪素とアルミニウムとの複合材によって形成されている。このため、ターンテーブル３０及び伝熱フィン３８の熱伝導率をより高め、加熱された空気の持つ熱を、ターンテーブル３０を経由して二次電池１０に効率良く伝えることができる。
【００４４】
（４）二次電池１０は、伝熱フィン３８に向けて送風する送風機３９を備え、送風機３９によって、加熱後の空気を伝熱フィン３８に向けて流すことができる。このため、加熱後の空気の持つ熱を、伝熱フィン３８に効率良く伝えることができる。
【００４５】
（５）恒温槽２１内にターンテーブル３０を配置し、ターンテーブル３０を回転させることで、載置面３０ａに載置された二次電池１０を、回転軸２９を回転中心として周回させた。このため、供給口２５に対向配置される二次電池１０を順番に変えることができ、複数の二次電池１０の温度分布をほぼ均一にすることができる。
【００４６】
（６）全ての伝熱フィン３８は、伝熱フィン３８の長手方向がターンテーブル３０の径方向に延びる状態でターンテーブル３０に設けられている。このため、ターンテーブル３０の周方向に隣り合う伝熱フィン３８同士の間に空隙Ｋを画定することができる。よって、ターンテーブル３０の外周面側から中心にまで、加熱後の空気を導入することができ、伝熱フィン３８の長手方向全体、及びターンテーブル３０の全体に亘って加熱後の空気を接触させることができる。
【００４７】
（７）二次電池１０は拘束治具３３で拘束された状態でターンテーブル３０の載置面３０ａに載置される。そして、拘束治具３３の第１の拘束板３４及び第２の拘束板３５は、二次電池１０の偏平面１３ａよりも表面積が大きいため、拘束治具３３で二次電池１０を拘束することで、二次電池１０と熱的に結合された表面積を拡大することができる。その結果として、二次電池１０の温度をエージング温度にまで速やかに昇温させることができる。
【００４８】
（８）二次電池１０の底面、第１の拘束板３４の第１長端面３４ｂ及び第２の拘束板３５の第１長端面３５ｂは、放熱グリースＧを介して載置面３０ａに接触している。このため、ターンテーブル３０から二次電池１０及び拘束治具３３に熱を伝えやすくすることができ、二次電池１０の温度をエージング温度にまで速やかに昇温させることができる。
【００４９】
なお、上記実施形態は以下のように変更してもよい。
○  図７に示すように、ターンテーブル３０は、二次電池１０を個別に自転させる自転装置３２を備えていてもよい。この場合、自転装置３２によって二次電池１０が自転することにより、供給口２５から供給された空気が、二次電池１０の側面のほぼ全体に接触する。よって、ターンテーブル３０による周回に加え、二次電池１０の自転により、二次電池１０での温度分布をより小さくすることができる。
【００５０】
○  図８に示すように、テーブルとしてターンテーブル３０ではなく、可動棚４０であってもよい。可動棚４０は、恒温槽２１内で水平方向に延びる回転中心Ｌの周りを周回する。そして、この可動棚４０の上面に二次電池１０の載置面４０ａを設け、可動棚４０の下面４０ｂに伝熱フィン４１を設けてもよい。伝熱フィン４１はコルゲートフィンである。
【００５１】
○  図９に示すように、ターンテーブル３０の載置面３０ａに伝熱フィン３８を設けてもよい。この場合、伝熱フィン３８は、ターンテーブル３０の径方向に延びる矩形板状であってもよいし、別の形状であってもよい。
【００５２】
さらに、ターンテーブル３０の下面３０ｂにも伝熱フィン３８を設けてもよい。
○  各形態において、伝熱フィン３８は矩形板状やコルゲートフィン以外の形状でもよく、正弦波状、ジグザグ状、波形状と適宜変更してもよい。
【００５３】
○  二次電池１０は拘束治具３３で拘束せずにターンテーブル３０の載置面３０ａに載置してもよい。
○  恒温装置２０は送風機３９を備えていない構成であってもよい。
【００５４】
○  送り装置は、送風機３９以外の構成であってもよい。
○  熱媒体は、加熱された空気（気体）ではなく、加熱された水蒸気や液体であってもよい。
【００５５】
○  ターンテーブル３０及び伝熱フィン３８は、炭化珪素とアルミニウムとの複合材以外の材料で形成されていてもよい。例えば、アルミニウム、アルミニウム合金等でもよく、熱伝導率の高い材料で形成するのが好ましい。
【００５６】
○  正極電極及び負極電極は、金属箔の片面に活物質が存在する構造でもよい。
○  二次電池１０は、リチウムイオン二次電池でもよいし、他の二次電池であってもよい。要は、正極用の活物質と負極用の活物質との間をイオンが移動するとともに電荷の授受を行うものであればよい。また、蓄電装置としてキャパシタでもよい。
【００５７】
○  電極組立体１２は、積層型に限らず、帯状の正極電極と帯状の負極電極を捲回して層状に積層した捲回型であってもよい。
【符号の説明】
【００５８】
Ｓ…収納空間、２９…回転軸、１０…蓄電装置としての二次電池、２１…恒温槽、３３…拘束治具、３０…テーブルとしてのターンテーブル、３０ｂ，４０ｂ…下面、３８，４１…伝熱フィン、３９…送り装置としての送風機、４０…テーブルとしての可動棚。
【図１】
2015141767.tif 000003
【図２】
2015141767.tif 000004
【図３】
2015141767.tif 000005
【図４】
2015141767.tif 000006
【図５】
2015141767.tif 000007
【図６】
2015141767.tif 000008
【図７】
2015141767.tif 000009
【図８】
2015141767.tif 000010
【図９】
2015141767.tif 000011